(57)【要約】【課題】製造された銀製品は、酸化防止目的と健保目的が図られると言う作用効果を具えた新規な銀合金の提供を図ったものである。【解決手段】本発明は、純銀に対してゲルマニウムを添加してなる銀合金に係るものである。そして、銀合金として粘性を付与するためにカドミウムを添加することもできる。また、配合比率であるが、純銀９５％  〜９０％に対してゲルマニウムを５％  〜１０％程度添加する。また、カドミウムを配合する場合は、純銀９４％  〜９０％に対してゲルマニウムを５％  〜９％、カドミウムを１％  〜  ２％添加するように配合する。【特許請求の範囲】
【請求項１】
純銀に対してゲルマニウムを添加してなる銀合金。
【請求項２】
粘性付与のためにカドミウムを添加することを特徴とする請求項１に記載の銀合金。
【請求項３】
純銀９５％  〜９０％に対してゲルマニウムを５％  〜１０％添加するようにした請求項１に記載の銀合金
【請求項４】
純銀９４％  〜９０％に対してゲルマニウムを５％  〜９％、カドミウムを１％  〜  ２％添加するようにした請求項２に記載の銀合金。
【発明の詳細な説明】
【０００１】
【発明の属する技術分野】
本発明は、指輪、ブレスレット、ペンダント、御鈴、食器等、各種の銀製品を製造するための銀合金に関する。
【０００２】
【従来の技術】
従来、上記したような  銀製品を製造するための銀合金は、純銀に対して所要量の銅を混入させることを通例とした。すなわち、純銀は脆いと言う性質を有するため、これの腰を強くするために銅を混入させて合金化させる。そして、一般的には、銀対銅の混合比率は、銀９５％・銅５％の混合比率で９５０銀と言われるもの、或いは、銀９２．５％・銅７．５％の混合比率で９２５銀と言われるもの、若しく銀９０％・銅１０％の混合比率で９００銀と言われるものが多く用いられている。そして、銅の混合比率を高めると硬さが高められるため、目的に応じてこれを使い分けていた。
【０００３】
ところで、上述したような銀合金で製した銀製品は、長期間保存しておいた場合、その表面が黒くなってしまうことがある。これは鉄の錆にみられるような酸化ではなく、硫化によつて硫化銀と成ってしまうためである。本来的には、銀は常温において乾燥・湿潤空気に侵されることはないが、大気汚染の多い都会などでは、銀製品の表面に付着した水分が、大気中の硫化水素あるいは亜硫酸ガスと反応して硫化を生じてしまうためである。
【０００４】
上記したような変色を生じる硫化を防止するための手段として、銀製品銀製品の表面に銀中に金発色しない範囲の金を含有させた合金被膜を形成するようにしたものがある。（例えば特許文献１参照。）
【０００５】
【特許文献１】
特開平０７−１９７２９１号公報
【０００６】
【発明が解決しようとする課題】
上記したような従来の手段であると、「金」を使用するために費用が掛かるばかりでなく、所要の形状に成形された後の製品に対して施すものであるため、その処理は極めて煩雑にして、製造工程の合理化に著しい障害となることを余儀なくされた。
【０００７】
発明は、このような従来の問題を解決し、銀地金自体として硫化に対する強い耐性を発揮すると共に、指輪，ブレスレット，ペンダントのような使用者の肌等に接する銀製品を製した場合、着用者に対する健保目的が達成されると言う作用を呈する新規な銀合金の提供を図ったものである。
【０００８】
【課題を解決するための手段】
本発明は、純銀に対してゲルマニウムを添加してなる銀合金に係るものである。そして、銀合金として粘性を付与するためにカドミウムを添加することもできる。また、配合比率であるが、純銀９５％  〜９０％に対してゲルマニウムを５％  〜１０％程度添加する。また、カドミウムを配合する場合は、純銀９４％  〜９０％に対してゲルマニウムを５％  〜９％、カドミウムを１％  〜  ２％添加するように配合する。
【０００９】
本発明は、上記のような構成に基づき、従来の問題を解決すると共に、健保目的が達成されると言うような新規な銀合金の提供を図ったものである。
【００１０】
【作用】
本発明に係る銀合金は、通常の銀合金と全く同様に、指輪、ブレスレット、ペンダント、御鈴、食器等、各種の銀製品を製造するための銀合金として用いる。
【００１１】
【発明の実施の形態】
本発明は、純銀に対してゲルマニウムを添加してなる銀合金を要旨とするものである。そして、本発明においてゲルマニウムを用いた理由は、後述するように、黒変原因である酸化防止と言う効果を奏させると同時に健保的効果を期待して、銀合金の添加物として用いたことを特徴とするものである。なお、粘性付与のためにカドミウムを添加することが好ましい
【００１２】
上記した純銀と、ゲルマニウムと、カドミウムの好ましい配合例としては下記のものが挙げられる。
純銀              ９５％  〜９０％
ゲルマニウム                ４％  〜９％
カドミウム                    １％  〜  ２％
【００１３】
ゲルマニウムの添加量を増やすことにより銀合金の硬度を上げることが出来るので、ジュエリー製作に使う場合は純銀を９５％程度とするが、キャスト用（鋳造用）として用いる場合は、純銀の使用料を９２．５％程度または９０％程度とすることが好ましい。また、ブローチ，指輪等のアクセサリーを製造する場合も、純銀の使用料を９２．５％程度が硬度的に適している。そして、食器、御鈴のような製品の場合は、ある程度の硬度を必要とするため、純銀の使用料を９０％程度とすることが望ましい。
【００１４】
上記したるゲルマニウムであるが、これは純銀に添加することにより銅と同じように銀合金の硬度が高められると同時に、当該ゲルマニウムが硫化防止剤として機能することが、実験により確かめられた。そして、当該ゲルマニウムの添加量増加に比例して合金硬度が高められることも確認された。これに基づき、本発明においては、従来の銅に代えてゲルマニウムを添加金属として使用したものである。
【００１５】
そして、純銀とゲルマニウムだけであると粘性が不足し、目的とする製品の成形上の困難性が伴うことがある。従って、金属材料としての銀合金自体に粘りを出させるためにカドミウムを添加することが好ましい。
【００１６】
ところで、ゲルマニウムであるが、これは主として有機ゲルマニウムを用いる。これにより、有機ゲルマニウムは、硫化防止剤としての機能を発揮し、銀製品の表面に付着した水分が、大気中の硫化水素あるいは亜硫酸ガスと反応して硫化させてしまうことを防止すると言う作用を呈する。
【００１７】
また、ゲルマニウムは温泉に含まれる成分として良く知られている。そして、温泉に溶け出す前の岩石または細粒状のものは、これが人体肌に接することにより温泉と同じような効果が得られ、そのため、肩こり，腰痛，神経痛などの痛みの緩和、血液の浄化や細胞の活性化、そして、遠赤外線作用に基づく温熱作用が働き、冷え性の解消作用、自然治癒力の向上化作用、疲労物質の蓄積の抑制化作用が奏される。
【００１８】
本発明に係る銀合金は、通常の銀合金と全く同様に、指輪、ブレスレット、ペンダント、御鈴、食器等、各種の銀製品を製造するための銀合金として用いるものである。そして、その製造目的に応じてゲルマニウムの配合割合を調節することが好ましい。
【００１９】
【発明の効果】
本発明は請求項１に記載のような構成、すなわち、純銀に対してゲルマニウムを添加するようにしたかから、当該ゲルマニウムが固有する性質に基づき銀表面に対する硫化が生じることを防止する。従って、銀製品の表面に付着した水分が、大気中の硫化水素あるいは亜硫酸ガスと反応して硫化を生じることによる黒色変色と言うような事態発生をよく回避する。
同時に、本発明に係る銀地金で指輪のような使用者の肌に接する製品を製造した場合、当該ゲルマニウムが奏する健保効果、すなわち、人間の体内で酸素を豊富にし、体内からの有害な毒素や老廃物を連れ出して排泄し、これによる新陳代謝の活性化に基づく身体の各器官が活発に働いて機能を正常化して、酸欠状態の解消化と言うような効果が奏される。
更に、本発明に係る銀合金を用いて、お寺や仏壇等で使用する御鈴を製造した場合、その音色が著しく向上化される。
【００２０】
本発明は請求項２に記載のような構成、すなわち、カドミウムを添加することにより、粘性付与がなされた銀合金が得られることとなる。従って、目的銀製品の製造上、銀合金としての粘性を必要とする場合にその対応が図られることとなる。
【００２１】
本発明は請求項３または、請求項４に記載のような構成、すなわち、純銀９５％  〜９０％に対してゲルマニウムを５％  〜１０％程度添加するようにするか、または、純銀９４％  〜９０％に対してゲルマニウムを５％  〜９％、カドミウムを１％  〜  ２％を添加することにより、目的銀製品の製造上最適とする硬度、或いは、硬度と粘性を具えた銀合金を得ることが出来る。